(57)【要約】【課題】  情報を必要とする人と情報提供する人とを結び付ける。【解決手段】  携帯装置の利用者が必要とする情報内容を情報処理装置に送信する。この情報内容には、必要とする情報の内容と共に、当該必要情報の購入希望価格、購入最低価格が書き込まれ、情報提供者は、情報利用者が必要としている情報の価値を判断し、情報を提供した場合の対価をあらかじめ把握できるので、情報利用者の求めに応じて質の高い情報の提供に努めることができる。情報処理装置には、携帯装置の利用者が必要とする情報内容が登録され、携帯装置の利用者が取得した提供情報が蓄積され、携帯装置の利用者が提供された情報を評価した評価結果が蓄積される。【選択図】  図１
2006178905.tif 000002
【特許請求の範囲】
【請求項１】
情報処理装置と通信ネットワークを介して接続され、
当該携帯装置の利用者が必要とする情報内容を前記情報処理装置に送信する手段を備え、
この情報内容には、必要とする情報の内容と共に、当該必要情報の購入希望価格、購入最低価格が書き込まれた
ことを特徴とする携帯装置。
【請求項２】
前記情報処理装置に利用者が取得した提供情報を送信する手段を備え、
この提供情報を送信する手段は、当該提供情報の取得時間情報を記録する手段、取得位置情報を記録する手段、映像または静止画情報を取得する手段、音声情報を取得する手段、利用者認証手段を含み、
前記提供情報は、映像または静止画または音声情報またはこれら（映像、静止画、音声）の組み合わせによる情報であり、当該提供情報の取得時間情報、取得位置情報、利用者認証情報を含む
請求項１記載の携帯装置。
【請求項３】
携帯装置と通信ネットワークを介して接続され、
携帯装置から送信された当該携帯装置の利用者が必要とする情報内容が登録される必要情報登録手段と、
携帯装置から送信された当該携帯装置の利用者が取得した提供情報が蓄積される提供情報蓄積手段と、
携帯装置から送信された当該携帯装置の利用者が提供された情報を評価した評価結果が蓄積される評価情報蓄積手段と
を備えたことを特徴とする情報処理装置。
【請求項４】
前記必要情報登録手段に登録された情報内容を携帯装置からの要求に応じて配信する手段を備えた請求項３記載の情報処理装置。
【請求項５】
前記必要情報登録手段に登録された情報内容に基づき前記提供情報蓄積手段に蓄積された情報を検索し、一致または類似する情報が前記提供情報蓄積手段に有るときには前記必要情報登録手段に当該情報内容の登録を行った利用者の携帯装置にその旨を通知する手段を備えた請求項３記載の情報処理装置。
【請求項６】
前記評価情報蓄積手段に蓄積された評価結果を携帯装置からの要求に応じて配信する手段を備えた請求項３記載の情報処理装置。
【請求項７】
情報利用拒否の設定をされた携帯装置を認識し、当該情報利用拒否の設定をされた携帯装置に対しては情報の提供を禁止する手段を備えた請求項３記載の情報処理装置。
【請求項８】
必要情報閲覧拒否の設定をされた携帯装置を認識し、当該必要情報閲覧拒否の設定をされた携帯装置に対しては前記必要情報登録手段に登録された情報内容の配信を禁止する手段を備えた請求項４記載の情報処理装置。
【発明の詳細な説明】
【技術分野】
【０００１】
本発明は、通信ネットワークを介してある情報を必要とする情報利用者とその情報を提供する情報提供者とを結び付ける技術に関する。
【背景技術】
【０００２】
従来のアンケート型の情報収集および提供システムにおいては、情報収集者は企業で、情報提供者が一般の利用者という形態をとるアンケートを収集するためのシステムであり、このシステムでは一般の利用者が必要とする情報を収集することができない。
【０００３】
また、コミュニティ型の情報収集および提供システムにおいては、メール等による問い合わせによって、必要な情報を得ることが可能なシステムであるが、これらのシステムにおいては必要な情報を要求する人も情報を提供する人もテキストによる入力等を求められた煩雑な処理を必要とすることやコミュニティ、特に無料で参加できるコミュニティにおいては、情報の質はあくまでも情報提供者側に委ねられていた。
【０００４】
また、オークションのような一部情報を売買することが可能なシステムにおいては、情報をテキスト等に文書化することで情報提供することが可能となっているが、非常に煩雑であり、かつ、ＰＣからの入力となるため、提供したい情報を直ぐにその場で提供するような用途には適用できない（例えば、特許文献１参照）。
【０００５】
【特許文献１】特開２００４−２９９４０号公報
【発明の開示】
【発明が解決しようとする課題】
【０００６】
上述のとおり、アンケート型の情報収集および提供システムにおいては、一般の利用者間での情報の利用または提供ができないという課題があり、コミュニティ型の情報収集および提供システムにおいては、情報の質を利用者側で評価または判断することが不可能であり、オークションのような一部情報を売買することが可能なシステムにおいては、情報提供の煩雑さに加え、必要な情報を原理的に得られない可能性があるという課題があった。
【０００７】
本発明は、このような背景に行われたものであって、認証、ＧＰＳ、カメラ機能が具備される携帯電話機を情報の登録または利用端末とし、この携帯装置とこの携帯装置で登録利用される情報を処理する情報処理装置とからなり、情報利用者が登録した必要とする情報に関して、情報提供者が本情報に基づき自らが有する情報を提供することで、当該情報を必要とする人と情報提供する人とを結び付け、情報提供側および情報の利用者側双方が情報およびその対価に対して評価することで、情報の質をコントロールし、情報利用者または提供者間の情報の収受を的確かつ迅速に行うことを可能とし、上記の課題を解決するシステムを提供することを目的とする。
【課題を解決するための手段】
【０００８】
本発明の第一の観点は携帯装置であって、本発明の特徴とするところは、情報処理装置と通信ネットワークを介して接続され、当該携帯装置の利用者が必要とする情報内容を前記情報処理装置に送信する手段を備え、この情報内容には、必要とする情報の内容と共に、当該必要情報の購入希望価格、購入最低価格が書き込まれたところにある。
【０００９】
これにより、情報提供者は、情報利用者が必要としている情報の価値を判断することができる。したがって、情報提供者は、情報を提供した場合の対価をあらかじめ把握することができるので、情報利用者の求めに応じて質の高い情報の提供に努めることができる。また、情報の購入希望エリアなどその他の情報を書き込むこともできる。
【００１０】
また、前記情報処理装置に利用者が取得した提供情報を送信する手段を備え、この提供情報を送信する手段は、当該提供情報の取得時間情報を記録する手段、取得位置情報を記録する手段、映像または静止画情報を取得する手段、音声情報を取得する手段、利用者認証手段を含み、前記提供情報は、映像または静止画または音声情報またはこれら（映像、静止画、音声）の組み合わせによる情報であり、当該提供情報の取得時間情報、取得位置情報、利用者認証情報を含むことができる。
【００１１】
これによれば、情報提供者は、例えば、提供する情報を情報処理装置に送信するだけで、自動的に、当該提供情報の取得時間情報、取得位置情報、利用者認証情報が添付される。
【００１２】
本発明の第二の観点は、情報処理装置であって、本発明の特徴とするところは、携帯装置と通信ネットワークを介して接続され、携帯装置から送信された当該携帯装置の利用者が必要とする情報内容が登録される必要情報登録手段と、携帯装置から送信された当該携帯装置の利用者が取得した提供情報が蓄積される提供情報蓄積手段と、携帯装置から送信された当該携帯装置の利用者が提供された情報を評価した評価結果が蓄積される評価情報蓄積手段とを備えたところにある。
【００１３】
これにより、情報利用者と情報提供者との仲介を情報処理装置を介して自動的に行うことができる。
【００１４】
また、前記必要情報登録手段に登録された情報内容を携帯装置からの要求に応じて配信する手段を備えることができる。
【００１５】
さらに、前記必要情報登録手段に登録された情報内容に基づき前記提供情報蓄積手段に蓄積された情報を検索し、一致または類似する情報が前記提供情報蓄積手段に有るときには前記必要情報登録手段に当該情報内容の登録を行った利用者の携帯装置にその旨を通知する手段を備えることができる。
【００１６】
これによれば、情報提供者が自ら必要情報登録手段に登録された情報内容を確認することなく、自動的に、情報利用者の有無の通知を受けられるので、情報提供および利用の迅速化と情報提供者および情報利用者の利便性の向上を図ることができる。
【００１７】
また、前記評価情報蓄積手段に蓄積された評価結果を携帯装置からの要求に応じて配信する手段を備えることができる。
【００１８】
すなわち、情報提供者は、自己が提供した情報の最低購入価格は、情報の提供に先立って把握することができるが、情報利用者が更なる情報提供を促進するために、最低購入価格に上乗せした価格を提示してきた場合に、この情報を評価結果として得ることができる。
【００１９】
また、情報利用拒否の設定をされた携帯装置を認識し、当該情報利用拒否の設定をされた携帯装置に対しては情報の提供を禁止する手段を備えることができ  る。
【００２０】
すなわち、情報利用者が情報提供者から必要とする情報の提供を受けたにも関わらず対価を支払わなかったような場合には、情報提供者は当該情報利用者に対する情報提供を拒否することができ、その旨を情報処理装置に設定しておけば、自動的に当該情報利用者への情報の提供を禁止することができる。これにより、このような悪意の情報利用者のシステム利用を拒否することができる。
【００２１】
また、必要情報閲覧拒否の設定をされた携帯装置を認識し、当該必要情報閲覧拒否の設定をされた携帯装置に対しては前記必要情報登録手段に登録された情報内容の配信を禁止する手段を備えることができる。
【００２２】
すなわち、無益な情報や有害な情報を一方的に提供しようとするような悪意の情報提供者に対しては必要情報の閲覧を禁止することができる。これにより、このような悪意の情報提供者のシステム利用を拒否することができる。
【００２３】
本発明の第三の観点は、情報収集および提供方法であって、本発明の特徴とするところは、情報処理装置と通信ネットワークを介して接続された携帯装置が、当該携帯装置の利用者が必要とする情報内容を前記情報処理装置に送信するステップを実行する際に、この情報内容には、必要とする情報の内容と共に、当該必要情報の購入希望価格、購入最低価格が書き込まれたところにある。
【００２４】
また、前記情報処理装置に利用者が取得した提供情報を送信するステップを実行する際に、当該提供情報の取得時間情報を記録し、取得位置情報を記録し、映像または静止画情報を取得し、音声情報を取得し、またはこれら（映像、静止画、音声）の組み合わせによる情報を取得、利用者認証を行い、前記提供情報は、映像または静止画または音声情報であり、当該提供情報の取得時間情報、取得位置情報、利用者認証情報を含むことができる。
【００２５】
また、本発明の情報収集および提供方法は、携帯装置と通信ネットワークを介して接続された情報処理装置が、携帯装置から送信された当該携帯装置の利用者が必要とする情報内容を登録するステップと、携帯装置から送信された当該携帯装置の利用者が取得した提供情報を蓄積するステップと、携帯装置から送信された当該携帯装置の利用者が提供された情報を評価した評価結果を蓄積するステップとを実行することを特徴とする。
【００２６】
また、前記必要情報を登録するステップにより登録された情報内容を携帯装置からの要求に応じて配信するステップを実行することができる。
【００２７】
また、前記必要情報を登録するステップにより登録された情報内容に基づき前記提供情報を蓄積するステップにより蓄積された情報を検索し、一致または類似する情報が有るときには当該情報内容の登録を行った利用者の携帯装置にその旨を通知するステップを実行することができる。
【００２８】
また、前記評価情報を蓄積するステップにより蓄積された評価結果を携帯装置からの要求に応じて配信するステップを実行することができる。
【００２９】
あるいは、情報利用拒否の設定をされた携帯装置を認識し、当該情報利用拒否の設定をされた携帯装置に対しては情報の提供を禁止するステップを実行することができる。
【００３０】
また、必要情報閲覧拒否の設定をされた携帯装置を認識し、当該必要情報閲覧拒否の設定をされた携帯装置に対しては前記必要情報を登録するステップにより登録された情報内容の配信を禁止するステップを実行することができる。
【００３１】
本発明の第四の観点は、情報処理装置と通信ネットワークを介して接続された携帯装置に適用されるプログラムであって、本発明の特徴とするところは、汎用の携帯装置にインストールすることにより、その汎用の携帯装置に、当該携帯装置の利用者が必要とする情報内容を前記情報処理装置に送信する機能を実現させ、この情報内容には、必要とする情報の内容と共に、当該必要情報の購入希望価格、購入最低価格が書き込まれたところにある。
【００３２】
また、前記情報処理装置に利用者が取得した提供情報を送信する機能を実現させ、この提供情報を送信する機能として、当該提供情報の取得時間情報を記録する機能、取得位置情報を記録する機能、映像または静止画情報を取得する機能、音声情報を取得する機能、またはこれら（映像、静止画、音声）の組み合わせによる情報を取得する機能、利用者認証機能を実現させ、前記提供情報は、映像または静止画または音声情報であり、当該提供情報の取得時間情報、取得位置情報、利用者認証情報を含むことができる。
【００３３】
あるいは、本発明は、携帯装置と通信ネットワークを介して接続された情報処理装置に適用されるプログラムであって、本発明の特徴とするところは、汎用の情報処理装置にインストールすることにより、その汎用の情報処理装置に、携帯装置から送信された当該携帯装置の利用者が必要とする情報内容が登録される必要情報登録機能と、携帯装置から送信された当該携帯装置の利用者が取得した提供情報が蓄積される提供情報蓄積機能と、携帯装置から送信された当該携帯装置の利用者が提供された情報を評価した評価結果が蓄積される評価情報蓄積機能とを実現させるところにある。
【００３４】
また、前記必要情報登録機能に登録された情報内容を携帯装置からの要求に応じて配信する機能を実現させることができる。
【００３５】
また、前記必要情報登録機能に登録された情報内容に基づき前記提供情報蓄積機能に蓄積された情報を検索し、一致または類似する情報が前記提供情報蓄積機能に有るときには前記必要情報登録機能に当該情報内容の登録を行った利用者の携帯装置にその旨を通知する機能を実現させることができる。
【００３６】
また、前記評価情報蓄積機能に蓄積された評価結果を携帯装置からの要求に応じて配信する機能を実現させることができる。
【００３７】
あるいは、情報利用拒否の設定をされた携帯装置を認識し、当該情報利用拒否の設定をされた携帯装置に対しては情報の提供を禁止する機能を実現させることができる。
【００３８】
また、必要情報閲覧拒否の設定をされた携帯装置を認識し、当該必要情報閲覧拒否の設定をされた携帯装置に対しては前記必要情報登録機能に登録された情報内容の配信を禁止する機能を実現させることができる。
【００３９】
本発明の第四の観点は、本発明のプログラムが記録された前記情報処理装置読取可能な記録媒体である。本発明のプログラムは本発明の記録媒体に記録されることにより、前記汎用の携帯装置または情報処理装置は、この記録媒体を用いて本発明のプログラムをインストールすることができる。あるいは、本発明のプログラムを保持するサーバからネットワークを介して直接前記汎用の携帯装置または情報処理装置に本発明のプログラムをインストールすることもできる。
【００４０】
これにより、前記汎用の携帯装置または情報処理装置を用いて、情報利用者が登録した必要とする情報に関して、情報提供者が本情報に基づき自らが有する情報を提供することで、当該情報を必要とする人と情報提供する人とを結び付け、情報提供側および情報の利用者側双方が情報およびその対価に対して評価することで、情報の質をコントロールし、情報利用者または提供者間の情報の収受を的確かつ迅速に行うことができる情報収集および提供システムを実現することができる。
【発明の効果】
【００４１】
本発明によれば、情報利用者が登録した必要とする情報に関して、情報提供者が本情報に基づき自らが有する情報を提供することで、当該情報を必要とする人と情報提供する人とを結び付け、情報提供側および情報の利用者側双方が情報およびその対価に対して評価することで、情報の質をコントロールし、情報利用者または提供者間の情報の収受を的確かつ迅速に行うことができる。
【発明を実施するための最良の形態】
【００４２】
本発明実施例の携帯装置を図１および図２および図４を参照して説明する。図１は本実施例の情報収集および提供システムの概略構成を示す図である。図２は本実施例の携帯装置のブロック構成図である。図４は本実施例の必要情報登録フォーマットを示す図である。
【００４３】
本実施例は、図１に示すように、情報処理装置５０と通信ネットワーク６０を介して接続され、図２に示すように、当該携帯装置４０の利用者が必要とする情報内容を情報処理装置５０に送信部３１により送信する手段を入力部２８に備え、この情報内容には、図４に示すように、必要とする情報の内容と共に、当該必要情報の購入希望価格、購入希望エリア、購入最低価格が書き込まれる。
【００４４】
また、情報処理装置５０に利用者が取得した提供情報を送信部３１により送信する手段を備え、この提供情報を送信部３１により送信する手段は、当該提供情報の取得時間情報を記録する時間取得部１、取得位置情報を記録する位置取得部２、映像または静止画情報を取得する映像・静止画取得部３、音声情報を取得する音声取得部４、利用者認証部５を含み、前記提供情報は、映像または静止画または音声情報またはこれら（映像、静止画、音声）の組み合わせによる情報であり、当該提供情報の取得時間情報、取得位置情報、利用者認証情報を含む。なお、映像・静止画像取得部３または音声取得部４は、それぞれが取得した映像または静止画または音声情報を互いに組み合わせて新たな情報を生成することができる。
【００４５】
次に、本実施例の情報処理装置を図１および図３を参照して説明する。図３は本実施例の情報処理装置のブロック構成図である。
【００４６】
本実施例は、図１に示すように、携帯装置４０と通信ネットワーク６０を介して接続され、図３に示すように、携帯装置４０から送信された当該携帯装置４０の利用者が必要とする情報内容が登録される必要情報登録部２４と、携帯装置４０から送信された当該携帯装置４０の利用者が取得した提供情報が蓄積される提供情報蓄積部２５と、携帯装置４０から送信された当該携帯装置４０の利用者が提供された情報を評価した評価結果が蓄積される評価情報蓄積部２６とを備えたことを特徴とする情報処理装置５０である。
【００４７】
また、必要情報登録部２４は、登録された情報内容を携帯装置４０からの要求に応じて配信する手段を備える。
【００４８】
また、必要情報登録部２４に登録された情報内容に基づき提供情報蓄積部２５に蓄積された情報を検索し、一致または類似する情報が提供情報蓄積部２５に有るときには必要情報登録部２４に当該情報内容の登録を行った利用者の携帯装置４０にその旨を通知する手段を演算部３０に備える。
【００４９】
また、評価情報蓄積部２６は、蓄積された評価結果を携帯装置４０からの要求に応じて配信する手段を備える。
【００５０】
また、提供情報蓄積部２５は、情報利用拒否の設定をされた携帯装置４０を認識し、当該情報利用拒否の設定をされた携帯装置４０に対しては情報の提供を禁止する手段を備える。
【００５１】
また、必要情報登録部２４は、必要情報閲覧拒否の設定をされた携帯装置４０を認識し、当該必要情報閲覧拒否の設定をされた携帯装置４０に対しては必要情報登録部２４に登録された情報内容の配信を禁止する手段を備える。
【００５２】
本実施例は、汎用の携帯装置または情報処理装置にインストールすることにより、その汎用の携帯装置または情報処理装置に本実施例の携帯装置４０または情報処理装置５０に相応する機能を実現させるプログラムとして実現することができる。このプログラムは、記録媒体に記録されて情報処理装置にインストールされ、あるいは通信回線を介して情報処理装置にインストールされることにより汎用の携帯装置または情報処理装置に、時間取得部１、２１、位置取得部２、２２、映像・静止画像取得部３、音声取得部４、利用者認証部５、暗・復号部６、２３、蓄積部７、２７、入力部８、２８、表示部９、２９、演算部１０、３０、送信部１１、３１、受信部１２、３２、必要情報登録部２４、提供情報蓄積部２５、評価情報蓄積部２６にそれぞれ相応する機能を実現させることができる。
【００５３】
次に、本実施例の携帯装置４０および情報処理装置５０の動作を説明する。携帯装置４０の入力部８を用いて、利用者が入力した必要な情報に関する情報を送信部１１により情報処理装置５０に送り、情報処理装置５０においては送られた情報を受信部３２にて受信し、演算部３０において、利用者の情報、必要とする情報の内容を判別し、必要情報登録部２４に登録する。
【００５４】
また、携帯装置４０は、必要情報登録済みリスト要求を送信部１１から送信し、情報処理装置５０においては送られた情報を受信部３２にて受信し、演算部３０において、情報提供者からの必要情報登録済みリスト要求と判別し、必要情報登録部２４に蓄積されている必要情報登録済みリストを送信部３１から情報提供者の利用する携帯装置４０へ送信する。
【００５５】
情報処理装置５０から送られてきた必要情報登録済みリストを携帯装置４０の受信部１２にて受信し、受信した情報を表示部９にて表示し、蓄積部７にて記憶する。表示部９に表示された必要情報登録済みリストに掲載される必要情報のうち、情報提供者が既に蓄積部７に有する情報または情報提供者が携帯装置４０の時間情報を取得する時間取得部１、位置情報を取得する位置取得部２、映像または静止画情報を取得する映像・静止画取得部３、音声情報を取得する音声取得部４、利用者を認証する利用者認証部５を用いて取得可能な情報を暗・復号部６にて暗号化し、送信部１１にて情報処理装置５０に送信する。
【００５６】
情報処理装置５０においては送られた情報を受信部３２にて受信し、暗・復号部２３にて情報を復号化し、演算部３０において、情報提供者による情報提供と判別し、提供情報蓄積部２５に蓄積する。必要情報登録部２４において蓄積された情報と提供情報蓄積部２５に蓄積された情報とを演算部３０にて比較し、必要情報登録部２４で必要とされる情報に合致する提供情報蓄積部２５に蓄積される提供情報を必要情報登録部２４に蓄積されたその情報を必要とする携帯装置４０に送信部３１から送信する。
【００５７】
情報処理装置５０から提供された提供情報を受信部１２にて受信した携帯装置４０においては、受信した情報を表示部９にて表示し、表示した結果に応じて、利用者により入力部８から入力された当該提供情報に対する評価情報を送信部１１から情報処理装置５０へ送信する。
【００５８】
情報処理装置５０において、携帯装置４０から提供情報に対する評価として送信された評価情報を演算部３０にて提供情報に対する評価情報と判別し、提供情報に対する評価情報蓄積部２６に本情報を蓄積する。
【００５９】
このとき、提供情報蓄積部２５に蓄積される情報と評価情報蓄積部２６に蓄積された情報とを演算部３０にて比較し、提供されたどの情報に対する評価情報かを判別し、その対応関係の情報も併せて評価情報蓄積部２６に蓄積する。
【００６０】
携帯装置４０は評価情報要求を送信部１１から情報処理装置５０へ送信し、情報処理装置５０において、当該携帯装置４０からの評価情報要求を受信部３２で受信し、演算部３０にてどの評価情報を送信するかを判別し、送信部３１から携帯装置４０へその評価情報を送信する。
【００６１】
さらに、取得したい情報が二次元バーコードあるいはＲＦＩＤ（無線タグ）により取得できる場合には、携帯装置４０に備わる時間取得部１、位置取得部２、映像・静止画像取得部３、音声取得部４、利用者認証部５により、利用者が取得したい情報に本携帯装置４０をかざし、ボタンを押すだけで情報を取得できる構成とすることにより、利用者による入力の簡易化を実現することができる。
【００６２】
また、情報処理装置５０に備わる提供情報蓄積部２５により蓄積される情報に当該提供情報を配信しない携帯装置４０のＩＤの情報を付加することにより、提供情報蓄積部２５は、情報利用拒否の設定をされた携帯装置４０を認識し、当該情報利用拒否の設定をされた携帯装置４０に対しては情報の提供を禁止することができる。
【００６３】
また、情報処理装置５０に備わる必要情報登録部２４により蓄積される情報に当該必要情報を配信しない携帯装置４０のＩＤ情報を付加することにより、必要情報登録部２４は、必要情報閲覧拒否の設定をされた携帯装置４０を認識し、当該必要情報閲覧拒否の設定をされた携帯装置４０に対しては必要情報登録部２４に登録された情報内容の配信を禁止することができる。
【００６４】
以下では、本実施例をさらに詳細に説明する。
【００６５】
本発明に係る携帯装置および情報処理装置は次のとおりのものである。すなわち、現在普及している携帯端末を利用し、情報利用者が登録した必要な情報に関して、情報提供者が提供し、その情報提供と利用とを本システムにより結び付けることで、情報収集および情報提供の迅速性や情報の質を向上させ、“情報”の売買を実現しようとするものである。
【００６６】
以下図面により、本発明の携帯装置および情報処理装置について説明する。図１は情報収集および提供システムの概略構成を示す図である。図１に示すとおり、情報利用者や提供者が所持する携帯端末４０と、情報利用または提供時に利用者からの問い合わせを受け付け、適切な処置を施し、必要な情報を提供する情報処理装置５０と、これらを接続する通信ネットワーク６０とから構成されている。
【００６７】
図２は携帯装置４０を示す図である。携帯装置４０は、時間情報を取得する時間取得部１、位置情報を取得する位置取得部２、映像または静止画像情報を取得する映像・静止画像取得部３、音声情報を取得する音声取得部４、利用者を認証する利用者認証部５、情報を暗号化または復号化する暗・復号部６、情報を蓄積する蓄積部７、情報を入力する入力部８、情報を表示する表示部９、情報を処理する演算部１０、情報を送信する送信部１１、情報を受信する受信部１２とから構成されている。
【００６８】
図３は情報処理装置５０を示す図である。情報処理装置５０は、時間情報を取得する時間取得部２１、位置情報を取得する位置取得部２２、情報を暗号化または復号化する暗・復号部２３、情報を蓄積する蓄積部２７、情報を入力する入力部２８、情報を表示する表示部２９、情報を処理する演算部３０、情報を送信する送信部３１、情報を受信する受信部３２、必要とする情報に関する情報を登録する必要情報登録部２４、提供された情報を蓄積する提供情報蓄積部２５、提供情報に対する評価情報蓄積部２６から構成されている。
【００６９】
情報処理装置５０における時間取得部２１は、現在時刻情報を取得し、各部に時刻情報を供給する。また、位置取得部２２は、現在位置情報を取得し、各部に位置情報を供給する。一般的に、情報処理装置５０の設置位置は一定であるが、位置取得部２２を備えていることによって、設置位置の変更にも柔軟に対応することができる。
【００７０】
なお、ここでは、１台の携帯装置４０と１台の情報処理装置５０とが通信ネットワーク６０を介して接続される図を示したが、実際には携帯装置４０および情報処理装置５０は複数存在し、それらが接続されている。
【００７１】
（第一実施例）
図２に示す携帯装置４０を用いて、利用者は必要な情報に関して提示される図４に示すフォーマットに基づき、携帯装置４０の入力部２８を用いて登録し、情報処理装置５０に本情報を送信しておく。情報処理装置５０では複数のユーザから送られた情報をデータベースにて管理し、情報のみをリスト化し、利用者情報はＩＤ等で表示しておく。複数のユーザから送られたリスト化された必要とする情報は、情報を提供したいと考え、あらかじめ登録していた情報提供者に送信される。
【００７２】
情報提供者はリストのうち自らが所有する提供情報もしくは発見した情報を携帯装置４０にて記録することで提供情報を生成し、情報処理装置５０へ送信する。情報処理装置５０では提供された情報の情報のみを取り出し、提供者情報はＩＤ等で表示する形式に変換し、情報を必要とする利用者へ送信する。
【００７３】
必要な情報を取得した利用者は、情報を取得した時点で、携帯装置４０が自動的に必要情報最低購入価格で自らが設定した金額を情報処理装置５０へ送信する。情報処理装置５０では送られた電子マネーを当該情報を提供した情報提供者のＩＤに対応付け管理を行い、情報提供者の携帯装置４０は必要に応じて、情報処理装置５０に要求をかけ、この電子マネーを取得する。
【００７４】
また、情報利用者は、当該情報が非常に有益であった場合に、必要情報最低購入価格に加えて、利用者が希望する任意の電子マネーを送付する。送付された電子マネーは、どの利用者がどの情報の購入に対して支払ったものかを情報処理装置５０にて管理し、上記同様必要に応じて情報提供者へ電子マネーを送付する。
【００７５】
逆に情報利用者は、当該情報が無益であった場合に、当該情報の提供者のＩＤを利用しないという設定を情報処理装置５０に送信しておくことで、無益な情報を提供する情報提供者からの情報提供を拒否する。さらに無益と判断した場合には、次回以降あらかじめ最低購入価格を下げることで無益な情報提供を予防する。
【００７６】
さらに、情報利用者は必要情報最低購入金額を高額に設定することで、情報提供者の迅速かつ正確な情報提供を期待することができる。また、本システムでは複数の情報利用者および情報提供者が存在することから、複数の情報ソースから情報を取得することが可能となることからも迅速かつ正確な情報提供を期待できる。
【００７７】
また、情報処理装置５０にて提供された情報を蓄積しておくことで、必要情報として過去に問い合わせのあった情報に関してはさらに迅速かつ正確に対応することが可能となる。
【００７８】
一方、情報提供者は、情報提供後、利用があり、その情報を利用した利用者（ＩＤ）からの振り込み金額が利用者の希望する最低金額のみで十分満足がいかなかった場合には、次回以降情報提供者は当該情報利用者への情報提供を拒んだり、あるいは最初から情報利用者が必要情報購入最低金額を上げるまでは情報を提供しないことで対応する。
【００７９】
さらに、本システムでは複数の情報利用者および情報提供者が存在することから、複数の情報利用者から情報利用を期待することができ、情報提供者が一つの情報で複数の情報利用者への要望に供することが可能であり、このことからも迅速かつ正確な情報提供を実現できる。
【００８０】
また、情報処理装置５０にて提供された情報を蓄積しておくことで、必要情報として過去に問い合わせのあった情報に関しては情報処理装置５０から提供され、情報提供者は煩雑な処理をすることなく、情報利用者へ迅速かつ正確に対応することが可能となる。
【００８１】
（第二実施例）
本システムを広告提供主と顧客との関係に当てはめることが可能である。顧客はある製品が必要な場合には、自身の携帯装置４０を利用し、情報処理装置５０へアクセスし必要な情報を入力しておく。その情報を取得した情報提供者のうち、その情報を有するものは情報処理装置５０へアクセスし本情報を送信し、この情報を利用者が得ることで実現する。
【００８２】
（第三実施例）
本システムは指名手配中の犯人を捜す警察の指名手配等に利用することができる。警察はある指名手配中の犯人を捜す場合には、自身の携帯装置４０を利用し、情報処理装置５０へアクセスし必要な情報を入力しておく。その情報を取得した情報提供者のうち、その情報を有するものは情報処理装置５０へアクセスし本情報を送信し、この情報を警察が得ることで実現する。
【００８３】
（第四実施例）
近い将来において、商品に二次元バーコードやＲＦＩＤ（無線タグ）が付加されるようになれば、利用者は携帯装置４０により必要な物品の情報を入力する際に、二次元バーコードやＲＦＩＤを読み取るだけで他の入力等が必要なくなり、簡易に本システムを利用することができる。
【００８４】
（第五実施例）
本システムは事故現場を携帯装置４０にて録画した情報提供者と保険会社、警察等の間で利用することができる。
【００８５】
（第六実施例）
携帯装置４０を用いて、作業工事現場等において作業工事を行う前に利用者がタイトルおよび映像記録を残して送信するのみで、作業前の状態を映像にて記録し、作業後に同様の手続きを行うことで、当該撮影者がその現場に訪れ、かかる作業を実施したことを証明するなどにも利用することができる。
【００８６】
（第七実施例）
図１に示す携帯装置４０を用いて、展示会会場等において展示物の調査として利用者がタイトルおよび映像記録を残して送信するのみで、リアルタイムに展示会やイベントの情報を収集し、必要に応じてこれらの情報を加工しＷＥＢ等に掲載する実施の形態にも利用できる。
【００８７】
（実施例まとめ）
本実施例の情報収集および提供システムの一連の動作フローを図５を参照して説明する。図５は本実施例の情報収集および提供システムの一連の動作フローを示すフローチャートである。なお、図５における※印は個人毎に価格が違うことを示す。また、図５における破線矢印は、必ずしも必要ではない手順を示す。
【００８８】
情報を必要とする人の携帯装置４０−１から必要とする情報を情報処理装置５０に登録する（例、商品名、型番、希望価格、※最低情報購入価格）（Ｓ１）。登録が完了すると（Ｓ２）、情報処理装置５０は、必要とする情報、購入希望者をリスト表示することができるようになる。
【００８９】
情報を提供する人の携帯装置４０−２から必要な情報、購入希望者のリストを情報処理装置５０に要求することにより（Ｓ３）、携帯装置４０−２はリストを取得することができる（Ｓ４）。なお、情報を提供する人が、あらかじめ情報処理装置５０のメーリングリストに携帯装置４０−２のアドレスを登録することができる場合には、ステップＳ３の手順は必要としない。
【００９０】
リストを参照した情報を提供する人は、携帯装置４０−２に、情報源からの情報を取得する（Ｓ５）。なお、情報を取得しなくても携帯装置４０−２が既に情報を所有している場合にはステップＳ５の手順は必要ない。続いて、携帯装置４０−２から情報処理装置５０にこの情報（所有または取得した情報）を送信する（Ｓ６）。当該情報の登録が完了すると（Ｓ７）、情報処理装置５０の提供情報蓄積部２５に当該情報が蓄積される。
【００９１】
情報処理装置５０の演算部３０は、必要情報登録部２４に登録された情報内容に基づき提供情報蓄積部２５に蓄積された情報を検索し、一致または類似する情報が提供情報蓄積部２５に有るときには必要情報登録部２４に当該情報内容の登録を行った利用者の携帯装置４０−１にその旨を通知する（Ｓ８）。
【００９２】
なお、情報処理装置５０が、このような自動検索手段を有しない場合、あるいは情報を必要とする人がこのようなサービスの提供を契約していない場合には、ステップＳ８の手順は行われず、情報を必要とする人が随時、情報処理装置５０にアクセスして提供情報蓄積部２５に蓄積された情報を自ら検索することにより、自己が必要とする情報の有無を確認する。
【００９３】
情報を必要とする人が必要とする情報が提供情報蓄積部２５に蓄積されている場合には、情報を必要とする人の携帯装置４０−１からの情報取得要求に応じて（Ｓ９）、情報処理装置５０は、携帯装置４０−１に要求された情報を送信し、携帯装置４０−１は情報を取得する（Ｓ１０）。
【００９４】
なお、情報を必要とする人が必要とする情報が提供情報蓄積部２５に蓄積されている場合には、自動的に当該情報を携帯装置４０−１に送信するサービスを契約している場合にはステップＳ９の手順は必要としない。
【００９５】
情報を必要とする人は、携帯装置４０−１に送信された情報を確認し（Ｓ１１）、情報の評価（※情報購入金額）を情報処理装置５０の評価情報蓄積部２６に送信し（Ｓ１２）、登録完了すると（Ｓ１３）、評価情報蓄積部２６に提供した情報に対する対価が電子マネーとして蓄積される。なお、ステップＳ１１の手順は省略することができる。
【産業上の利用可能性】
【００９６】
本発明を用いることにより、必要とされる情報を迅速かつ正確に取得することが可能となる。また、本発明を実施例に挙げたように使うことで、携帯装置の利用者が事故現場の撮影や犯罪現場の撮影、工事施工管理情報の撮影、広告掲載情報の撮影等さまざまな情報収集を可能とする手段を提供することで、迅速な情報収集手段の提供はもとより、これらの情報収集インフラの充実により悪意ある行為を未然に防ぎ、犯罪等の抑止といった効果が期待できる。
【００９７】
さらには、広告情報の収集等へ適用すれば、これまで広告情報、特にＷＥＢ等に掲載される情報については、その入力の煩雑さから、広告切り替え周期が半期毎等長かったものが、本システムを適用することにより、日々更新する等、情報の鮮度を高める効果が期待できる。
【００９８】
さらには本発明により誰でも情報を収集または提供できる手段を手に入れることから、これら利用者からの様々な情報を的確に収集し、管理、蓄積することで、これまでになかった情報、例えば、ある施設の混雑状況等をリアルタイムに把握することが可能となり、本情報を用いることで利用者は的確な時間に当該施設を利用することが可能となり自らの時間を効率的に利用できるといった効果も期待できる。
【図面の簡単な説明】
【００９９】
【図１】本実施例の情報収集および提供システムの概略構成を示す図。
【図２】本実施例の携帯装置のブロック構成図。
【図３】本実施例の情報処理装置のブロック構成図。
【図４】本実施例の必要情報登録フォーマットを示す図。
【図５】本実施例の情報収集および提供システムの一連の動作フローを示すフローチャート。
【符号の説明】
【０１００】
１、２１  時間取得部
２、２２  位置取得部
３  映像・静止画像取得部
４  音声取得部
５  利用者認証部
６、２３  暗・復号部
７、２７  蓄積部
８、２８  入力部
９、２９  表示部
１０、３０  演算部
１１、３１  送信部
１２、３２  受信部
２４  必要情報登録部
２５  提供情報蓄積部
２６  評価情報蓄積部
４０、４０−１、４０−２  携帯装置
５０  情報処理装置
６０  通信ネットワーク
【図１】
2006178905.tif 000003
【図２】
2006178905.tif 000004
【図３】
2006178905.tif 000005
【図４】
2006178905.tif 000006
【図５】
2006178905.tif 000007